(57)【要約】無線周波数信号を増幅するように構成された、少なくとも１つの差動増幅器と、少なくとも１つの差動増幅器からの無線周波数信号を、局部発振器信号と混合するように構成されたミキサと、ミキサと結合されたローパスフィルタと、ローパスフィルタは、コンデンサおよびローパスフィルタを調整する少なくとも１つの可変抵抗器を含む、を含む装置。【選択図】図３
2017539151.tif 000002
【特許請求の範囲】
【請求項１】
無線周波数信号を増幅するように構成された、少なくとも１つの差動増幅器と、
前記少なくとも１つの差動増幅器からの前記無線周波数信号を、局部発振器信号と混合するように構成されたミキサと、
前記ミキサに結合されたローパスフィルタと、前記ローパスフィルタは、コンデンサ、および前記ローパスフィルタを調節するように構成された少なくとも１つの可変抵抗器を含み、
を備える装置。
【請求項２】
前記少なくとも１つの可変抵抗器をバイパスするように構成された、少なくとも１つのスイッチをさらに備える、請求項１の装置。
【請求項３】
前記少なくとも１つの差動増幅器は、ＳＡＷレスモードで動作するように構成された、請求項１の装置。
【請求項４】
前記少なくとも１つの差動増幅器は、低線形性モード増幅器および高線形性モード増幅器を備える、請求項１の装置。
【請求項５】
前記低線形性モード増幅器または前記高線形性モード増幅器の内の１つを選択するように構成された、セレクタと、
前記少なくとも１つの可変抵抗器に結合され、前記低線形性増幅器が選択されたとき、活性化するように構成された、少なくとも１つのスイッチと、
をさらに備える、請求項４の装置。
【請求項６】
ジャマー状態を検出するように構成された、検出器をさらに備え、
前記ミキサおよび前記ローパスフィルタは、前記低線形性モード増幅器および前記高線形性モード増幅器に結合され、前記ミキサおよび前記ローパスフィルタは、前記検出器によって検出された前記ジャマー状態に基づいて調整可能である極周波数を含むように構成された、請求項４の装置。
【請求項７】
少なくとも１つのシングルエンド増幅器と、
前記少なくとも１つの差動増幅器および前記少なくとも１つのシングルエンド増幅器、に結合された共用された入力ノードと、
をさらに備える、請求項１の装置。
【請求項８】
前記少なくとも１つのシングルエンド増幅器は、ＳＡＷモードで動作するように構成された、請求項７の装置。
【請求項９】
前記少なくとも１つのシングルエンド増幅器は、低利得ＳＡＷモード増幅器および高利得ＳＡＷモード増幅器を備える、請求項７の装置。
【請求項１０】
前記低利得ＳＡＷモード増幅器は、低利得ＳＡＷレスモードのために使用されるように構成された、請求項９の装置。
【請求項１１】
前記共用された入力ノードに結合された、第１および第２のスイッチをさらに備え、前記第１のスイッチは、前記少なくとも１つの差動増幅器にも結合され、また、前記第２のスイッチは、前記少なくとも１つのシングルエンド増幅器にも結合される、請求項７の装置。
【請求項１２】
前記少なくとも１つの差動増幅器および前記第１のスイッチ間で結合された、オンチップバランをさらに備える、請求項１１の装置。
【請求項１３】
前記共用された入力ノードに結合され、局部発振器高周波除去フィルタとして構成された、入力マッチング回路をさらに備える、請求項７の装置。
【請求項１４】
前記共用された入力ノードに結合され、線形性要件が緩和されたとき、前記少なくとも１つのシングルエンド増幅器を選択するように構成された、スイッチをさらに備える、請求項７の装置。
【請求項１５】
第１のＳＡＷ経路および第２のＳＡＷ経路と、
第１の共用された入力ノードおよび第２の共用された入力ノードと、前記第１の共用された入力ノードは、前記第１のＳＡＷ経路または前記少なくとも１つの差動増幅器の内の１つに結合され、前記第２の共用された入力ノードは、前記第２のＳＡＷ経路または前記少なくとも１つの差動増幅器の内の１つに結合され、をさらに備える、請求項１の装置。
【請求項１６】
前記第１のＳＡＷ経路は、少なくとも１つの低帯域増幅器として構成された、少なくとも１つのシングルエンド増幅器を備える、請求項１５の装置。
【請求項１７】
前記少なくとも１つの低帯域増幅器は、低利得、低帯域増幅器、および高利得、低帯域増幅器を備える、請求項１６の装置。
【請求項１８】
前記第１の共用された入力ノード、および前記低利得、低帯域増幅器間に配置されたスイッチ、をさらに備える、請求項１７の装置。
【請求項１９】
前記第２のＳＡＷ経路は、少なくとも１つの中間帯域増幅器として構成された、少なくとも１つのシングルエンド増幅器を備える、請求項１５の装置。
【請求項２０】
ジャマー状態を検出するように構成された検出器をさらに備え、前記少なくとも１つの差動増幅器は、高ジャマー状態下で動作するように構成された、少なくとも１つのＳＡＷレス増幅器を含む、請求項１の装置。
【請求項２１】
前記ジャマー状態に基づいて、前記少なくとも１つのＳＡＷレス増幅器の電流消費を制御するように構成された、コントローラ、をさらに備える、請求項２０の装置。
【請求項２２】
差動入力信号を増幅する手段と、
前記増幅する手段からの無線周波数信号を、局部発振器信号と混合する手段と、
前記混合する手段に結合された、ローパスフィルタする手段と、前記ローパスフィルタする手段は、前記ローパスフィルタする手段を調節する手段を含み、前記調節する手段は、抵抗を変更する手段を含み、
を備える、装置。
【請求項２３】
前記抵抗を変更する手段をバイパスする手段、をさらに備える、請求項２２の装置。
【発明の詳細な説明】
【背景分野】
【０００１】
[0001]  本発明は、一般に受信機に関係し、さらに特に、異なる信号経路を統合し、同一ピン上でのＳＡＷ受信機動作によりＳＡＷレス（ＳＡＷ−ｌｅｓｓ）受信機回路を再使用することに関係する。
【背景】
【０００２】
[0002]  フルデュプレクス、周波数分割デュプレクス（ＦＤ−ＦＤＤ）システムにおいて、受信機および送信機は、異なる周波数上で同時に動作し、異なる周波数は、アップリンクおよびダウンリンク信号経路間の必要な分離を提供する。しかしながら、ＦＤＤロングタームエボリューション（ＬＴＥ（登録商標））およびキャリアアグリゲーション（ＣＡ）トランシーバのための現行の無線周波数（ＲＦ）フロントエンド（ＦＥ）設計は、非常に複雑である。例えば、広帯域符号分割多元接続（ＷＣＤＭＡ（登録商標））のようなフルデュプレクスシステムの各帯域は、受信機中への送信電力漏洩によってジャムされることを回避するために、受信／送信（Ｒｘ／Ｔｘ）表面弾性波（ＳＡＷ）フィルタまたはデュプレクサを必要とする。グローバル移動体通信システム（ＧＳＭ（登録商標））時分割同期ＣＤＭＡ（ＴＤＳ−ＣＤＭＡ）および時分割ロングタームエボリューション（ＴＤ−ＬＴＥ）のようなハーフデュプレクスシステムにおいて、０ｄＢｍ程度の高さのアウトオブバンドブロッカー（out-of-band-blockers）によってジャムされる、または減感（de-sensed）されることを回避するために、Ｒｘ  ＳＡＷフィルタが必要とされる。かように、ハーフデュプレクスシステムにおいて、送信機の同時動作の不在に起因して、Ｒｘ  ＳＡＷフィルタの必要性を実質的に低減する、いくつかの技術が用いられる。しかしながら、Ｒｘ  ＳＡＷフィルタの除去は、低ノイズ増幅器（ＬＮＡ）の入力において、高入力レベルを持ったアウトオブバンド（ＯＯＢ）ジャマーの現出を生じる。
【図面の簡単な説明】
【０００３】
[0003]  本開示の詳細は、その構造および動作の両方に関して、添付のさらなる図面を検討することによって部分的に収集され得、図面において、同様の参照符号は同様の部分を指し、そこにおいて：
【図１】[0004]  図１は、ワイヤレス通信システムと通信する例示的なワイヤレスデバイスである。
【図２】[0005]  図２は、図１において示されたワイヤレスデバイスの、１つの実施形態であるワイヤレスデバイスの、例示的な設計のブロック図である。
【図３】[0006]  図３は、本開示の１つの実施形態にしたがった、例示的な受信機の図式的図である。
【図４】[0007]  図４は、本開示の別の実施形態にしたがった、例示的な受信機の図式的図である。
【図５Ａ】[0008]  図５Ａは、本開示の１つの実施形態にしたがった、例示的な装置のブロック図である。
【図５Ｂ】[0009]  図５Ｂは、本開示の１つの実施形態にしたがった、上記で触れた素子を除去した、例示的な装置のブロック図である。
【図６】[0010]  図６は、本開示の１つの実施形態にしたがった、いくつかの異なる信号経路を統合し、同一ピン上でのＳＡＷモード動作によりＳＡＷレス受信機を再使用、および／または共用するように構成された、例示的な装置の機能的ブロック図である。
【発明を実施するための形態】
【０００４】
[0011]  したがって、例えば、ＧＳＭ  ＳＡＷレス受信機（Ｒｘ）の設計において、設計者は、高ＬＮＡ線形性仕様（例えば、ＯＯＢ二次入力インターセプトポイント（ＩＩＰ２）およびＯＯＢ三次入力インターセプトポイント（ＩＩＰ３））、高ミキサＩＩＰ２仕様、およびタフな受信機局部発振器（ＬＯ）高調波除去仕様のための要件を含んだいくつかの難題と直面する。ＳＡＷフィルタの除去は、また、１１０ｄＢまでダイナミックレンジ要件を増加させ、受信機が非常に大きなＯＯＢ干渉源（interferers）に耐える必要性を増し、これは、良い感度を満たしつつ、非常に高いＯＯＢ線形性および１−ｄＢ圧縮点（Ｐ１ｄＢ）を必要とする。これは、非常に高いＯＯＢ  ＩＩＰ３および高いＯＯＢ  ＩＩＰ２  Ｔｘを満たすために、ＬＮＡおよびミキサに関する厳格な要件を提起する。さらに、大きなブロッカーは、コンボルーション（convolution）を通してＬＯ位相ノイズをダウンコンバートし、ノイズ指数（ＮＦ）を増すことが出来る。ＳＡＷレス受信機は、また、局部発振器周波数（ｎ＊ｆＬＯ）の高調波におけるジャマーをダウンコンバート出来、これは、ＬＯ高調波における高入力除去を必要とするであろう。
【０００５】
[0012]  本明細書で説明された、ある実施形態は、異なる信号経路を統合し、同一ピン上でのＳＡＷ受信機動作によりＧＳＭ  ＳＡＷレス受信機フロントエンド（ＲｘＦＥ）回路を再使用、および／または共用する。「ＳＡＷ」受信機は、ＬＮＡ減感を防止するＳＡＷフィルタのような外部フィルタを必要とする受信機を称するが、一方、「ＳＡＷレス」受信機は、ＬＮＡ入力において外部ＳＡＷフィルタを必要とせず、高ＯＯＢブロッカーに耐えられる受信機である。
【０００６】
[0013]  図１は、ワイヤレス通信システム１００と通信する例示的なワイヤレスデバイス１１０である。ワイヤレス通信システム１００は、ロングタームエボリューション（ＬＴＥ）システム、符号分割多元接続（ＣＤＭＡ）システム、グローバル移動体通信システム（ＧＳＭ）システム、ワイヤレスローカルエリアネットワーク（ＷＬＡＮ）システム、または他の何らかのワイヤレスシステムであり得る。ＣＤＭＡシステムは、広帯域ＣＤＭＡ（ＷＣＤＭＡ（登録商標））、ＣＤＭＡ  １Ｘ、エボリューションデータ最適化（ＥＶＤＯ）、時分割同期ＣＤＭＡ（ＴＤ−ＳＣＤＭＡ）、または何らかの他のバージョンのＣＤＭＡをインプリメントし得る。簡単のために、図１は、２つの基地局１２０および１２２と、１つのシステムコントローラ１３０とを含む、ワイヤレスシステム１００を示す。一般に、ワイヤレスシステムは、任意の数の基地局、およびネットワークエンティティの任意のセットを含み得る。
【０００７】
[0014]  ワイヤレスデバイス１１０は、また、ユーザ機器（ＵＥ）、移動局、端末、アクセス端末、加入者ユニット、局等と称され得る。ワイヤレスデバイス１１０は、セルラ電話、スマートフォン、タブレット、ワイヤレスモデム、携帯情報端末（ＰＤＡ）、ハンドヘルドデバイス、ラップトップコンピュータ、スマートブック、ネットブック、コードレス電話、ワイヤレスローカルループ（ＷＬＬ）局、ブルートゥース（登録商標）デバイス、等であり得る。ワイヤレスデバイス１１０は、ワイヤレスシステム１００と通信し得る。ワイヤレスデバイス１１０は、また、ブロードキャスト局（例えば、ブロードキャスト局１２４）からの信号、１つまたは複数の全地球的航法衛星システム（ＧＮＳＳ）における衛星（例えば、衛星１４０）からの信号、等を受信し得る。ワイヤレスデバイス１１０は、ＬＴＥ、ＷＣＤＭＡ、ＣＤＭＡ  １Ｘ、ＥＶＤＯ、ＴＤ−ＳＣＤＭＡ、ＧＳＭ、８０２．１１、等のような、ワイヤレス通信のための１つまたは複数の無線技術をサポートし得る。
【０００８】
[0015]  図２は、図１のワイヤレスデバイス１１０の１つの実施形態である、ワイヤレスデバイス２００の例示的な設計のブロック図である。この例示的な設計において、ワイヤレスデバイス２００は、アンテナ２２２に結合されたトランシーバ２２８、およびデータプロセッサ／コントローラ２２４を含む。トランシーバ２２８は、アンテナインターフェース回路２５４、受信機経路２３０、および送信機経路２４０を含む。アンテナインターフェース回路２５４は、スイッチ、デュプレクサ、送信フィルタ、受信フィルタ、マッチング回路、等を含み得る。データプロセッサ／コントローラ２２４は、ワイヤレスデバイス２００のための様々な機能を実行し得る。例えば、データプロセッサ／コントローラ２２４は、受信機経路２３０を介して受信されているデータ、および送信機経路２４０を介して送信されているデータの処理を実行し得る。データプロセッサ／コントローラ２２４は、トランシーバ２２８内部の種々の回路の動作を制御し得る。メモリ２２６は、データプロセッサ／コントローラ２２４のためのプログラムコードおよびデータを記憶し得る。データプロセッサ／コントローラ２２４は、１つまたは複数の特定用途向け集積回路（ＡＳＩＣ）および／または他の集積回路（ＩＣ）上においてインプリメントされ得る。受信機経路２３０は、低ノイズ増幅器（ＬＮＡ）２３２、ミキサ２３４、フェーズロックループ（ＰＬＬ）２３６、およびバンドパスフィルタ２３８を含む。アナログ−ディジタルコンバータ（ＡＤＣ）２５０は、ベースバンド信号をデジタル化するために、バンドパスフィルタ２３８に続いて置かれる。送信機経路２４０は、バンドパスフィルタ２４８、ＰＬＬ２４６、ミキサ２４４、ドライバ増幅器（ＤＡ）２５４、および電力増幅器（ＰＡ）２４２を含む。デジタル−アナログコンバータ（ＤＡＣ）２５２は、デジタルデータをアナログベースバンド信号に変換するために、データプロセッサ／コントローラ２２４およびバンドパスフィルタ２４８間に置かれる。図２の例示された実施形態において、ミキサ２３４、２４４に局部発振器信号を提供するために、受信機経路２３０は、ＰＬＬ２３６を含み、送信機経路２４０は、ＰＬＬ２４６を含む。しかしながら、他の実施形態において、受信機経路２３０および送信機経路２４０の両方は、単一の共通ＰＬＬを使用出来る。
【０００９】
[0016]  データ受信のために、アンテナ２２２は、基地局および／または他の送信機局から信号を受信し、受信されたＲＦ信号を供給し、それは、アンテナインターフェース回路２５４を通してルーティングされ、受信機経路２３０に入力ＲＦ信号として与えられる。アンテナインターフェース回路２５４は、スイッチ、デュプレクサ、送信フィルタ、受信フィルタ、マッチング回路、等を含み得る。受信機経路２３０内部で、ＬＮＡ２３２は、入力ＲＦ信号を増幅し、ミキサ２３４に出力ＲＦ信号を提供する。ＰＬＬ２３６は、局部発振器信号を生成する。ミキサ２３４は、出力ＲＦ信号を、ＲＦからベースバンドにダウンコンバートするために、出力ＲＦ信号を、ＰＬＬ−生成された局部発振器信号と混合する。バンドパスフィルタ２３８は、  ＡＤＣ２５０にアナログ入力信号を提供するために、ダウンコンバートされた信号をフィルタし、ＡＤＣ２５０は、アナログ入力信号をデジタルデータに変換し、データプロセッサ／コントローラ２２４に、デジタル信号を提供する。受信機経路２３０は、マッチング回路、発振器等のような他の素子を含み得る。
【００１０】
[0017]  データ送信のために、データプロセッサ／コントローラ２２４は、送信されるデータを処理（例えば、符号化および変調）し、デジタルデータをＤＡＣ２５２に提供し、ＤＡＣ２５２は、デジタルデータをアナログ出力信号に変換し、変換されたアナログ出力信号を送信機経路２４０に提供し、ＤＡＣ２５２は、送信ＲＦ信号を生成する。送信ＲＦ信号は、アンテナインターフェース回路２５４を通してルーティングされ、アンテナ２２２を介して送信される。
【００１１】
[0018]  図３は、本開示の１つの実施形態にしたがった例示的な受信機３００の図式的図である。受信機３００は、図２の、受信機経路２３０、アンテナインターフェース２５４、およびアンテナ２２２の１つの実施形態である。図３の例示された実施形態において、例示的な受信機３００は、入力ノード３０２において、「ＳＡＷ」ＬＮＡ（例えば、ＦＤＤモードで動作している）および「ＳＡＷレス」ＬＮＡを共用するように構成されている。「ＳＡＷ」ＬＮＡは、時分割デュプレクス（ＴＤＤ）アプリケーションのためのＳＡＷフィルタ、およびＦＤＤアプリケーションのためのデュプレクサ、のような外部フィルタを必要とするＬＮＡである。さらに、「ＳＡＷレス」ＬＮＡは、外部ＳＡＷフィルタを必要としないＬＮＡである。図３の例示された実施形態において、利得および電流バイアスのようなパラメータが、ダイナミックにプログラム出来るように、ＬＮＡの利得はプログラム可能である。
【００１２】
[0019]  ＳＡＷ  ＬＮＡは、外部入力マッチを持ったシングルエンドＬＮＡとしてインプリメント出来る。シングルエンドＬＮＡは、ピンカウントを低減し、面積だけでなく電流消費を節約する。ＳＡＷレスアプリケーションのために、しばしば、差動ＬＮＡは、厳格なＬＮＡ  ＩＰ２／ＩＰ３要件を満たす事が必要である。ある解は、２つの入力ピンおよび外部バラン（balun）を持った専用ＳＡＷレス差動ＬＮＡを使用する。また、０ｄＢｍブロッキング状況下での線形性を満たすために、ＬＮＡは、高供給電圧から大量の電力を引き出すように最適化される。同時に、入力ピンの数を低減し、外部バランの必要性を除去することによりコストを削減し、同一入力ピン上でＳＡＷ  ＬＮＡおよびＳＡＷレスＬＮＡを使用するために、各信号経路に対してオンチップ入力バラン（これは、シングルエンド差動コンバージョン（single-ended-to-differential conversion）を提供する）が使用されるようにすることが出来る。かように、１つの実施形態において、ＬＮＡ線形性要件（例えば、ＩＩＰ２）が緩和されたとき、より良いノイズ指数のためにシングルエンドＳＡＷ増幅器が選択される。
【００１３】
[0020]  図３の例示された実施形態において、ＳＡＷレス経路３５２の単一ポート共有された入力ノード３０４は、内部バラン３１０の一次巻線の第１の端子に結合するスイッチＳ３を通して入力ノード３０２に接続する。かように、スイッチＳ３は、ＳＡＷレスＬＮＡのＳＡＷ  ＬＮＡへのローディングをアイソレートする。一次巻線の第２の端子は、アースに結合する。内部バラン３１０の二次巻線の端子は、ＳＡＷレス差動増幅器（例えば、ＳＡＷレス差動ＬＮＡ）３１２、３１４の入力端子に接続する。バラン３１０は、シングルエンド差動コンバージョンを実行する。内部バラン３１０は、また、ピンカウントの削減およびビルオブマテリアル（bill-of-material）（ＢＯＭ）節約（例えば、外部バラン無し）を可能とする。さらに、調節可能なコンデンサ（図３において示されず）を持った入力バラン３１０は、アウトオブバンド（ＯＯＢ）ジャマーに対するバンドパスフィルタリングを達成する。
【００１４】
[0021]  図３において、ＳＡＷレス経路３５２は、選択可能な、高線形性（ＨＬ）ＳＡＷレスＬＮＡ３１２および低線形性（ＬＬ）ＳＡＷレスＬＮＡ３１４を含む。ＨＬ  ＬＮＡは、大きなジャマーを取り扱い、ＯＯＢブロッキング状況下で高線形性を達成するように設計される。ＬＬ  ＬＮＡは、ＯＯＢブロッカーが存在しないとき、最適ノイズ指数を与えるように設計される。１つの実施形態において、ＳＡＷレスＬＮＡは、ＲＦチョーク３１６を通して高供給電圧に結合されたクラスＡＢ差動ＬＮＡとして構成出来る。受信機におけるジャマーに対して、高ＬＮＡ  ＯＯＢ  ＩＰ２を満たすために差動モードが必要とされる。高供給電圧は、入力信号電圧スウィングおよび０ｄＢｍ  ＯＯＢブロッキング状況下での線形性を改善出来る。ＳＡＷレス経路３５２は、さらに、ＲＦ信号をベースバンドにダウンコンバートするために、ＲＦチョーク３１６に後続しているミキサ３１７を含む。図３の例示された実施形態は、２つの異なる線形性モードＬＮＡ（即ち、ＨＬおよびＬＬ）を示すだけであるが、他の実施形態において、線形性モードＬＮＡの任意の数が、使用出来る。例えば、中間線形性モードＳＡＷレスＬＮＡは、ＨＬおよびＬＬモードＬＮＡと連携して使用出来る。
【００１５】
[0022]  １つの実施形態において、ＳＡＷフィルタは、２０ＭＨｚオフセットにおいて、おおよそ２５−３０ｄＢ除去を提供し、実質的に全てのＯＯＢ干渉源を削減または削除する。しかしながら、ＳＡＷフィルタが削除されたとき（例えば、ＬＮＡ３１２、３１４によって提供されたＳＡＷレス経路３５２）、受信機は、２０ＭＨｚにおいて０ｄＢｍである最近接干渉源を持った、全てのＯＯＢ干渉源に晒される。これは、ＬＮＡ圧縮／飽和、ＬＮＡ線形性、ミキサ圧縮／線形性、およびミキサＩＩＰ２を含む受信機要件に、フィルタリングの巨大な難題を課す。ＬＯから２０ＭＨｚオフセットにおける（例えば、９００ＭＨＺにおいて）、干渉源／ブロッカーをフィルタするために、非常に高Ｑフィルタが必要である。例えば、２０ｄＢ減衰のために、４５０のＱが必要である。図３において、ミキサ３１７とローパスフィルタ３１８の組み合わせ（時々、Ｎ−経路フィルタと称される）は、高Ｑフィルタリングを提供するように構成される。さらに、より良いＬＯ高調波除去を得るために、ＬＯ高調波トラップを持った外部入力マッチ回路３０８が、ＳＡＷレスＬＮＡ入力において設計される。かように、入力マッチ回路３０８は、ＬＯ高調波除去フィルタとして構成される。
【００１６】
[0023]  図３に示されたＳＡＷレス経路３５２において、受動的ミキサ３１７は、逆アイソレーションを有さないので、ミキサ３１７は、ＬＯ周波数あたりにおいて、ベースバンドインピーダンスをＲＦにアップコンバートする。ＳＡＷレスＬＮＡ３１２または３１４の出力において、ベースバンドにおける極／フィルタリングは、高Ｑバンドパスフィルタとなり、これは、ブロッカーフィルタリングのために使用することが出来る。より高いオフセットにおいて、２０ｄＢ／ｄｅｃａｄｅロールオフは、ミキサスイッチ抵抗に起因して平坦になる。かように、このフィルタは、ジャマーフィルタリングを得るために、ＳＡＷレス経路内部の何処にでも置くことが出来る。さらに、フィルタは、自動的にＬＯ周波数を追跡し、調節することは必要ない。
【００１７】
[0024]  ＳＡＷレス経路３５２は、また、ローパスフィルタ３１８およびベースバンド処理ブロック３６０を含む。ローパスフィルタ３１８は、高または低ジャマー状況に基づいて、極周波数を調節および調整するために、コンデンサ（ＣＢＢ）および少なくとも１つの可変抵抗器（ＲＢＢ１、ＲＢＢ２）により構成される。ベースバンド処理ブロック３６０は、フィルタされた中間周波数信号を処理するために、トランスインピーダンス増幅器（ＴＩＡ）３６２、コンデンサ（ＣＴＩＡ１、ＣＴＩＡ２）のペア、および抵抗器（ＲＴＩＡ１、ＲＴＩＡ２）のペアにより構成される。ローパスフィルタ３１８が後続する、受動的ミキサ３１７の組み合わせは、“Ｎ−経路”フィルタを構成する。
【００１８】
[0025]  ローパスフィルタ３１８において、コンデンサ（ＣＢＢ）は、ＬＮＡ出力において、ジャマー周波数でショートとして現出する。これは、ＬＮＡ出力におけるジャマースウィングを削減し、ミキサ非線形性だけでなくＬＮＡ圧縮を防止する。ジャマースウィングは、コンデンサインピーダンスおよびミキサスイッチインピーダンスによって決定される。ジャマー電流は、ミキサ３１７を通して流れ、コンデンサ（ＣＢＢ）を通して循環する。抵抗器（ＲＢＢ１、ＲＢＢ２）は、ＴＩＡ３６２中に入るジャマー電流をブロックし、ＴＩＡ飽和を防止する。さらに、ミキサは電流モードで動作するので、それはジャマー状況下で高線形性を達成する。ＴＩＡ３６２の入力インピーダンスも、２０ＭＨｚにおいて増すので、ＴＩＡ３６２の入力インピーダンスおよび抵抗器（ＲＢＢ１、ＲＢＢ２）の組み合わせは、ジャマーをブロックするために、コンデンサ（ＣＢＢ）のインピーダンスよりも大きくなくてはならない。抵抗器（ＲＢＢ１，ＲＢＢ２）のより大きな値は、ＴＩＡ３６２の加算接合（summing junction）からミキサ３１７を覗いたインピーダンスを増し、ベースバンドフィルタノイズを削減する。受信機のフロントエンドが大きなトランスコンダクタンス（Ｇｍ）を有するように、バランまたはＲＦチョーク３１６のインピーダンスは、抵抗器（ＲＢＢ）足すミキサの、アップコンバートされたインピーダンスに比べて十分に大きくなければならない。１つの実施形態において、ＬＬモードで、ジャマーが無いとき、抵抗器ＲＢＢ１、ＲＢＢ２は、スイッチＳ１、Ｓ２をそれぞれ活性化することによってバイパスされる。これは、より高いフロントエンドＧｍおよびより良い感度を達成することを手助けする。別の実施形態において、抵抗器が、異なるジャマー状況によって、ショートされたとき、１つの設定された値またはゼロではなく、任意の合理的な値に調整出来るように、抵抗器ＲＢＢ１、ＲＢＢ２は、プログラム可能なように構成される。
【００１９】
[0026]  ＲＦ  ＯＯＢジャマーは、ＳＡＷフィルタが無い場合、受信機を瞬間的に減感出来るため、ＳＡＷレス受信機に対する主要な問題を提起する。これらのジャマーは、異なるＲｘ周波数において存在出来るので、ジャマーが存在し、ＬＮＡは低線形性（ＬＬ）モードから高線形性（ＨＬ）モードに、および、その逆にスイッチされる必要がある、ということをＲｘ経路に告げるために、ＬＮＡ入力において、広帯域ＲＦジャマー検出器（ＪＤＥＴ）がインプリメントされる必要がある。
【００２０】
[0027]  ＨＬ  ＳＡＷレスＬＮＡ３１２またはＬＬ  ＳＡＷレスＬＮＡ３１４の選択は、シングルエンド広帯域ＲＦジャマー検出器３３０によって検出されたジャマー状況に基づく。例えば、ＬＮＡ入力におけるジャマー検出器３３０が、ジャミング信号の設定されたしきい値より小さいものを検出するとき、検出器３３０は、ＡＤＣ符号を生成するために、バッファー３３２を通して信号をＡＤＣ３３４に送り、ＡＤＣ符号は、ＬＬ  ＳＡＷレスＬＮＡ３１４を選択／イネーブルするために、モデム３３６を通してデジタルインターフェースセレクタ３３８に送られる。対照的に、ジャマー検出器３３０が、設定されたしきい値より大きいジャミング信号を検出するとき、検出器３３０は、ＨＬ  ＳＡＷレスＬＮＡ３１２を選択／イネーブルするために、信号を送る。生成されたＡＤＣ符号は、ジャマー強度をデジタル的に評価するために使用することが出来、異なるジャマー確率、地理的ロケーション等によって、ソフトウェアにおいて、多数のＪＤＥＴスイッチングしきい値を計画すら出来る。ＬＬ  ＳＡＷレスＬＮＡは、低ノイズ指数および低電流消費を達成するように設計される。ＨＬ  ＳＡＷレスＬＮＡは、０ｄＢｍ  ＯＯＢブロッキング状況下で、高線形性を達成するように設計される。さらに、高線形性モードでＨＬ  ＳＡＷレスＬＮＡ３１２を使用することは、感度要件を満たしつつ、０ｄＢｍジャマー下で合理的なＮＦを満たすように設計される。また、受動的ミキサ３１７およびローパスフィルタ３１８を含むＮ−経路フィルタは、ＬＮＡ出力における追加のＯＯＢジャマー除去のために、Ｎ−経路フィルタを与え、イネーブルし、ＨＬモードにおけるミキサ線形性を改善する。さらに、異なるミキサゲート電圧は、ジャマー状況に基づいて、ミキサ線形性対ＮＦをトレードオフするためにプログラム出来る。また、異なるミキサＩＰ２キャリブレーション符号は、キャリブレーションを介して、ミキサの二次非線形性能を最適化するために、ＨＬモード対ＬＬモードで使用出来る。
【００２１】
[0028]  図３の例示された実施形態は、また、ＳＡＷ経路３５０の共有された入力ノード３０６を含み、ＳＡＷ経路３５０は、ロードバラン３２４を持った、シングルエンド共通ソースデジェネレーイトされたＬＮＡ３２０または３２２（他の実施形態において任意のタイプのＬＮＡが使用出来る）である。ＬＮＡ３２０、３２２は、ＮＦ、面積、および電力について最適化される。ＳＡＷ  ＬＮＡ３２０は、スイッチＳ４を通して、共用された入力ノード３０６に結合する低利得（ＬＧ）ＬＮＡとして構成され、一方、ＳＡＷ  ＬＮＡ３２２は、共用された入力ノード３０６に直接結合する高利得（ＨＧ）ＬＮＡとして構成される。かように、スイッチＳ４は、ＬＧ  ＳＡＷ  ＬＮＡのＨＧ  ＳＡＷ  ＬＮＡおよびＳＡＷレスＬＮＡ３１２、３１４へのローディングをアイソレートする。ロードバラン３２４は、ＳＡＷ  ＬＮＡ経路に対するロードとして構成されるので、ＳＡＷ  ＬＮＡ経路は、外部ＳＡＷフィルタを必要とし、バラン３２４は、低供給電圧で動作されることが出来る。ＳＡＷ経路３５０は、ＲＦ信号をベースバンドにダウンコンバートするために、ロードバラン３２４に後続しているミキサ３２６をさらに含む。
【００２２】
[0029]  １つの実施形態において、ＴＤＤモード（即ち、入力ノード／ボール３０２がＳＡＷレス経路３５２に結合される）に対して、ＳＡＷレス経路３５２が選択されたとき、外部入力マッチ回路３０８は、入力バラン３１０、および差動ＬＮＡ３１２または３１４と共に働くように装着される。別の実施形態において、ＳＡＷ経路３５０がＴＤＤモードに対して選択されたとき、または、ＦＤＤモード（即ち、入力ノード／ボール３０２がＳＡＷ経路３５０に結合される）に対してデュプレクサに接続するとき、外部入力マッチ回路３０８は、シングルエンドＬＮＡ３２０または３２２と共に働くように装着される。対照的に、差動ＬＮＡによるＳＡＷ解法をインプリメントすることは、余分なバラン挿入損失、さらに多くの電力消費を生成し、さらに多くの面積を占有するであろう。さらに、シングルエンドＬＮＡによるＳＡＷレス解法をインプリメントすることは、非常に高いＯＯＢ  ＩＩＰ３を持った０ｄＢｍジャマー状況下での性能を満たさないであろう。かように、入力ノード／ボール３０２を共用することは、余分なボールのコスト無しに、各個別のＬＮＡ解法を最適化する。
【００２３】
[0030]  利得状態に関して、ＨＬ  ＳＡＷレスＬＮＡ３１２は、利得状態Ｇ０ＨＬ、Ｇ１ＨＬ、Ｇ２ＨＬをインプリメントし、一方、ＬＬ  ＳＡＷレスＬＮＡ３１４は、差動動作において、利得状態Ｇ０ＬＬ、Ｇ１ＬＬ、Ｇ２ＬＬをインプリメントする。さらに、ＳＡＷレス経路３５２は、スイッチＳ４をオンに切り換え、スイッチＳ３をオフに切り換えることによって、利得状態Ｇ３、Ｇ４、およびＧ５に対して、ＳＡＷ経路３５０のＬＧ  ＳＡＷ  ＬＮＡ３２０を共用する。これらの利得状態（Ｇ３、Ｇ４、Ｇ５）は、高線形性を満たしつつ、低供給電圧でのシングルエンド動作において、非常に少ない電流を引き出すように最適化される。かように、ＳＡＷレス経路は、ＳＡＷ経路からのシングルエンドＬＧ  ＬＮＡ３２０を再使用し、低利得状態において面積および電力効率を達成する。
【００２４】
[0031]  図４は、本開示の別の実施形態にしたがった、例示的な受信機４００の図式図である。１つの実施形態において、受信機４００は、受信機２３０として、図２において、示されたワイヤレスデバイスにおいて使用される。図４の例示された実施形態において、例示的な受信機４００は、入力バラン４１０、ＨＬ  ＳＡＷレスＬＮＡ４１２、ＬＬ  ＳＡＷレスＬＮＡ４１４、チョーク４１６、およびミキサ４１７を含む、ＬＢおよびＭＢポート間のＳＡＷレス経路４５２、スイッチＳ３およびＳ４をそれぞれ使用して、中間帯域（ＭＢ）ＳＡＷ経路４５０および低帯域（ＬＢ）ＳＡＷ経路４５４と、共用するように構成される。６００ＭＨｚから１ＧＨｚの範囲内の無線周波数（ＲＦ）帯域は、典型的に、“ＬＢ”と称され、一方、１．４ＧＨｚから２．３ＧＨｚの範囲内の帯域は、“ＭＢ”と称される。ＬＢおよびＭＢ間の良いアイソレーションはスイッチＳ３およびＳ４で実現される。ＳＡＷモード動作中において、スイッチＳ３およびＳ４は、ＳＡＷ経路にローディングするＳＡＷレス入力バランをアイソレートし、ＳＡＷレス入力バランは、ＳＡＷ経路に対する入力インピーダンスを低下し、ＮＦを劣化する。スイッチＳ３およびＳ４は、０ｄＢｍジャマー状況下で大きなジャマースウィングを経験し、高線形性を満たしつつ、良いオフインピーダンスを有するように設計される。
【００２５】
[0032]  図４において、ＭＢ  ＳＡＷ経路４５０は、入力ボール４０１に結合し、ＬＢ  ＳＡＷ経路４５４は、入力ボール４０２に結合する。ＭＢ  ＳＡＷ経路４５０およびＬＢ  ＳＡＷ経路４５４の各々は、共用された入力ノード４０６または４０７、シングルエンドＬＧ  ＳＡＷ  ＬＮＡ４２０または４７０、シングルエンドＨＧ  ＳＡＷ  ＬＮＡ４２２または４７２、ロードバラン４２４または４７４、および、ミキサ４２６または４７６を含む。スイッチＳ５およびＳ６は、入力ボール４０１または４０２にそれぞれ対して、ＳＡＷ信号経路４５０、４５４を、ＳＡＷレス信号経路４５２と共用するように使用される。ＨＬモードにおける高線形性要件に起因して、しばしば大きいＳＡＷレスバラン４１０は、ＭＢ  ＳＡＷ経路４５０およびＬＢ  ＳＡＷ経路４５４間で共用される。このバランの自己共振は、最高のサポートされた動作の周波数をサポートするのに十分な高さでなければならない。さらに、バラン４１０中の調節可能なコンデンサ４１５は、ＭＢ／ＬＢ信号周波数に対して、入力インピーダンス維持性およびＯＯＢジャマーのバンドパスフィルタリングを達成することが出来る。図４の例示された実施形態は、２つの帯域（即ち、ＬＢおよびＭＢ）のみを示すが、高帯域回路のような他の帯域に対する回路が、高帯域信号を処理するために使用出来る。
【００２６】
[0033]  Ｎ−経路フィルタ（ミキサ４１７およびローパスフィルタ４１８を含む）およびベースバンド処理ブロック４６０は、Ｎ−経路フィルタ３１７、３１８、およびベースバンド処理ブロック３６０と同様に動作する。ジャマー検出器４３０、バッファー４３２、ＡＤＣ４３４、モデム４３６、およびデジタルインターフェース４３８も、ジャマー検出器３３０、バッファー３３２、ＡＤＣ３３４、モデム３３６、およびデジタルインターフェースセレクタ３３８と同様に動作する。さらに、外部入力マッチ回路４０８、４０９は、外部入力マッチ回路３０８と同様に動作する。
【００２７】
[0034]  ほとんどのモデムマルチバンド、マルチモードフォンは、ボード上にいくつかのコンポーネントを含み、しばしば、複雑なＰＣＢルーティングを伴う。グローバルポジショニング通信システム（ＧＰＳ）またはＲｘダイバーシティを持った電話のような、いくつかのアプリケーションにおいて、一次アンテナ以外の別個の二次アンテナが使用される。レイアウト制約および最適な受信に起因して、しばしば、この二次アンテナは一次アンテナから遠くに置かれる。この結果、二次アンテナからＬＮＡ入力へのトレース損失が高すぎる。このゆえに、トレース損失に起因したＮＦ劣化を弱めるために、二次アンテナに近接して置かれた外部ＬＮＡを使用することが望ましい。１つの現今の構成は、フィルタ、ＬＮＡ、および別のフィルタを、受信機の前に置くセットアップを含む。別の構成は、多数の周波数帯域をサポートしているダイバーシティ受信機（ＤＲｘ）に対して、フロントエンド（ＦＥ）損失が高すぎるときである。そのような構成（図５Ａを見られたい）は、アンテナスイッチ、ＳＡＷフィルタバンク、別のスイッチ、ＬＮＡ，別のスイッチ、および別のＳＡＷフィルタバンク、が後続するダイバーシティアンテナを含む。ＳＡＷレス受信機が、より高いジャマーを取り扱えるので、ＬＮＡの後の二次フィルタバンクは除去出来る。かように、ＳＡＷレス受信機は、ジャマーのフィールドシナリオ（field scenarios）に基づいて、チップ上のある素子を除去すること、またはバイパスすることによって、低減されたＮＦおよび電流消費を提供するように構成することが出来る。１つの実施形態において、除去すること、またはバイパスすることは、物理的に素子を除去することを含む。別の実施形態において、除去すること、またはバイパスすることは、図４中におけるスイッチＳ１およびＳ２によるように、素子をバイパスするためのスイッチを使用することを含む。１つの実施形態において、ＬＮＡ中の電流バイアシングは、ジャマーに基づいて、ダイナミックにプログラム可能である。
【００２８】
[0035]  図５Ａおよび５Ｂは、図３および４において示された実施形態の利点を示すブロック図である。図５Ａは、アンテナスイッチ５１０、第１のフィルタバンク５１２、第１のスイッチ５２０、外部（ディスクリート）ＬＮＡ５３０、第２のスイッチ５４２、および第２のフィルタバンク５４４が後続するダイバーシティアンテナ５０２を含む、例示的な受信機５００のブロック図である。第１のフィルタバンク５１２は、全てのＯＯＢ  ジャマーをフィルタし、外部ＬＮＡ５３０の減感を防止する。第１のスイッチ５２０は、ＬＮＡ５３０に対して、第１のフィルタバンク５１２から、あるフィルタを選択する。１つの実施形態において、ＲＦ送信線路５３２は、外部ＬＮＡ５３０を第２のスイッチ５４２と接続する。しかしながら、（図３または図４において示されるように構成された）ＳＡＷレス受信機は、ＬＮＡ５３０によって利得増された、（ＳＡＷ受信機よりも）より高いジャマーを取り扱えるので、（ＬＮＡ５３０の後の）第２のスイッチ５４２および第２のフィルタバンク５４４は除去出来る。図５Ｂは、新しい構成の１つの例を示す。簡単化のために、図５ＡにおけるＳＡＷフィルタバンク５４４および受信機中のＬＮＡ、間のＬＮＡ入力マッチは、示していない。
【００２９】
[0036]  図５Ｂは、本開示の１つの実施形態にしたがって上記で触れた素子５４０が除去された、例示的な受信機５５０のブロック図である。図５Ｂの例示された実施形態において、受信機５５０は、アンテナスイッチ５６０、第１のフィルタバンク５６２、第１のスイッチ５７０、およびＳＡＷレスＬＮＡ５８０、が後続するダイバーシティアンテナ５５２を含み、ＳＡＷレスＬＮＡ５８０にはＲＦ送信線路５８２が後続し、これは、チョーク、ミキサ、コンデンサ等を含んでいる素子を表す。かように、（Ｔｘ、または隣接する帯域からの）より高いジャマーを取り扱える、図５ＢのＳＡＷレス受信機５５０は、かなりのボード面積を節約し、ルーティング複雑性を減らし、これは、スイッチ５４２およびＳＡＷフィルタバンク５４４の除去に起因して、かなりのビルオブマテリアル（ＢＯＭ）節約につながる。図５Ａにおいて、（フィルタのバンク５４４後の）ＬＮＡ入力におけるＴｘ漏洩は、外部ＬＮＡ５３０における利得に起因して、しばしば非常に高い。これは、圧縮を回避するために、ＬＮＡがより低い利得状態で動作することを必要とし、このゆえに、ＮＦを劣化する。ＳＡＷレスＬＮＡは、ＳＡＷ  ＬＮＡよりも、かなり高いジャマーを取り扱えるので、ＳＡＷレスＬＮＡは、（例えば、図５Ｂにおけるような）Ｇ０ＨＬ利得モードにおいて動作出来、低利得状態におけるＳＡＷ  ＬＮＡよりも、より良いＮＦをオファー出来る。また、ＳＡＷレスＬＮＡ上の電流消費は、（例えば、図３において示されたＪＤＥＴ回路３３０の出力に基づいて）ジャマーを検出することによって、コントローラ（図５Ｂにおいて示されず）を使用してダイナミックに、制御またはプログラムされ得る。低ジャマー状況下で、ＬＮＡ電流は低減出来る。さらに、ＲＸがＯＮであるとき、ＧＳＭにおける合計スロットと比べて、デューティーサイクルはより小さいので、差動ＳＡＷレスＬＮＡに起因した電流消費インパクトは微小である。簡単化のために、送信線路５８２およびＬＮＡ間のＳＡＷレスＬＮＡ入力マッチは、示していない。
【００３０】
[0037]  図６は、本開示の１つの実施形態にしたがった、いくつかの異なる信号経路を統合し、同一ピン上でのＳＡＷモード動作によりＳＡＷレス受信機を再使用および／または共用するように構成された、例示的な装置６００の機能的ブロック図である。図６の例示された実施形態において、装置６００は、差動入力信号を増幅するモジュール６１０を備える。装置６００は、また、増幅手段の出力をＬＯ信号と混合するモジュール６２０、ローパスフィルタリングのためのモジュール６３０、およびローパスフィルタリングのためのモジュール中の抵抗器を調節するためのモジュール６４０、を備える。
【００３１】
[0038]  本明細書で説明された、受信機チップおよびＬＮＡは、ＩＣ、アナログＩＣ、ＲＦＩＣ、混合信号ＩＣ、特定用途向け集積回路（ＡＳＩＣ）、プリント回路基板（ＰＣＢ）、電子デバイス、等上でインプリメントされ得る。受信機チップおよびＬＮＡは、また、相補型金属酸化膜半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）、等のような、様々なＩＣプロセス技術を用いて製作され得る。
【００３２】
[0039]  本明細書で説明された受信機チップおよびＬＮＡをインプリメントする装置は、スタンドアロン型デバイス、またはより大型のデバイスの一部であり得る。デバイスは、（ｉ）スタンドアローンＩＣ、（ｉｉ）データおよび／または命令を格納するためのメモリＩＣを含み得る１つまたは複数のＩＣのセット、（ｉｉｉ）ＲＦ受信機（ＲＦＲ）またはＲＦ送信機／受信機（ＲＴＲ）のようなＲＦ  ＩＣ、（ｉｖ）移動局モデム（ＭＳＭ）のようなＡＳＩＣ、（ｖ）他のデバイス内部に埋め込まれ得るモジュール、（ｖｉ）受信機、セルラー電話、ワイヤレスデバイス、ハンドセット、または移動体ユニット、（ｖｉｉ）などであり得る。
【００３３】
[0040]  本発明のいくつかの実施形態が上述されたが、本発明の多くの変形が可能である。さらに、様々な実施形態の特徴は、上述した組み合わせとは異なる組み合わせで組み合わせられ得る。その上、明確で簡潔な説明のために、システムおよび方法の多くの説明が簡略化されている。多くの説明は、特有の基準の技術および構造を使用する。しかしながら、開示されたシステムおよび方法は、より広く適用可能である。  
[0041]  当業者は、本明細書に開示された実施形態に関連して説明された様々な例示的なブロックおよびモジュールは、様々な形態でインプリメントされることが出来ることを認識するだろう。いくつかのブロックおよびモジュールは、一般にそれらの機能の観点から上述された。そのような機能がどのようにインプリメントされるかは、システム全体に課せられる設計制約に依存する。当業者は、説明された機能性を、各特定のアプリケーションに関して様々な方法でインプリメントすることが出来るが、そのようなインプリメンテーションの決定は、本発明の範囲から逸脱を生じさせるものと解釈されるべきでない。加えて、モジュール、ブロック、またはステップ内部の機能のグループ分けは、説明を容易にするためのものである。特定の機能またはステップは、本発明から逸脱することなく、１つのモジュールまたはブロックから動かされ得る。
【００３４】
[0042]  本明細書に開示された実施形態に関連して説明された様々な例示的な論理ブロック、ユニット、ステップ、コンポーネント、およびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、ディスクリートゲートまたはトランジスタ論理、ディスクリートハードウェアコンポーネント、または本明細書に説明された機能を実施するように設計されたそれらの任意の組み合わせのようなプロセッサを用いて、インプリメントまたは実施されることが出来る。汎用プロセッサは、マイクロプロセッサであることが出来るが、代替的な方法では、プロセッサは、任意のプロセッサ、コントローラ、マイクロコントローラ、またはステートマシン（state machine）であることが出来る。プロセッサは、また、コンピューティングデバイスの組み合わせ、例えば、ＤＳＰとマイクロプロセッサ、複数のマイクロプロセッサ、ＤＳＰコアと連携した１つまたは複数のマイクロプロセッサ、または任意の他のそのような構成との組み合わせとしてインプリメントされることが出来る。さらに、本明細書に説明されたモジュールおよび機能ブロックおよび実施形態をインプリメントする回路は、様々なトランジスタタイプ、論理ファミリ、および設計方法論を使用して実現されることが出来る。
【００３５】
[0043]  開示された実施形態の上記説明は、当業者が本発明を製造または使用出来るように提供されている。これらの実施形態への様々な修正は、当業者には容易に明らかであるだろうし、本明細書に説明された一般的な原理は、本発明の精神または範囲から逸脱することなく他の実施形態に適用されることが出来る。かように、本明細書に提示された説明および図面は、本発明の現在好ましい実施形態を表し、それゆえ、本発明により広く熟慮される主題を代表するものであることは理解されるべきである。さらに、本発明の範囲は、当業者に自明になり得る他の実施形態を完全に包含すること、および、したがって、本発明の範囲は添付の特許請求の範囲以外の何れによっても限定されないことは理解されるべきである。
【図１】
2017539151.tif 000003
【図２】
2017539151.tif 000004
【図３】
2017539151.tif 000005
【図４】
2017539151.tif 000006
【図５Ａ】
2017539151.tif 000007
【図５Ｂ】
2017539151.tif 000008
【図６】
2017539151.tif 000009
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
無線周波数信号を増幅するように構成された、少なくとも１つの差動増幅器と、
前記少なくとも１つの差動増幅器からの前記無線周波数信号を、局部発振器信号と混合するように構成された、ミキサと、
前記ミキサに結合されたローパスフィルタと、前記ローパスフィルタは、前記ローパスフィルタを調節するように構成された少なくともコンデンサを含み、
表面弾性波（ＳＡＷ）モードで動作するように構成された、少なくとも１つのシングルエンド増幅器と、
前記少なくとも１つの差動増幅器および前記少なくとも１つのシングルエンド増幅器、に結合された共用された入力ノードと、
を備える装置。
【請求項２】
前記ローパスフィルタに含まれる少なくとも１つの可変抵抗器と、
前記少なくとも１つの可変抵抗器をバイパスするように構成された、少なくとも１つのスイッチをさらに備える、請求項１の装置。
【請求項３】
前記少なくとも１つの差動増幅器は、ＳＡＷレスモードで動作するように構成された、請求項１の装置。
【請求項４】
前記少なくとも１つの差動増幅器は、低線形性モード増幅器および高線形性モード増幅器を備える、請求項１の装置。
【請求項５】
前記ローパスフィルタに含まれる少なくとも１つの可変抵抗器と、
前記低線形性モード増幅器または前記高線形性モード増幅器の内の１つを選択するように構成された、セレクタと、
前記少なくとも１つの可変抵抗器に結合され、前記低線形性増幅器が選択されたとき、活性化するように構成された、少なくとも１つのスイッチと、
をさらに備える、請求項４の装置。
【請求項６】
ジャマー状態を検出するように構成された、検出器をさらに備え、
前記ミキサおよび前記ローパスフィルタは、前記低線形性モード増幅器および前記高線形性モード増幅器に結合され、前記ミキサおよび前記ローパスフィルタは、前記検出器によって検出された前記ジャマー状態に基づいて調整可能である極周波数を含むように構成された、請求項４の装置。
【請求項７】
前記少なくとも１つのシングルエンド増幅器は、低利得ＳＡＷモード増幅器および高利得ＳＡＷモード増幅器を備える、請求項１の装置。
【請求項８】
前記低利得ＳＡＷモード増幅器は、低利得ＳＡＷレスモードのために使用されるように構成された、請求項７の装置。
【請求項９】
前記共用された入力ノードに結合された、第１および第２のスイッチをさらに備え、前記第１のスイッチは、前記少なくとも１つの差動増幅器にも結合され、また、前記第２のスイッチは、前記少なくとも１つのシングルエンド増幅器にも結合される、請求項１の装置。
【請求項１０】
前記少なくとも１つの差動増幅器および前記第１のスイッチ間で結合された、オンチップバランをさらに備える、請求項９の装置。
【請求項１１】
前記共用された入力ノードに結合され、局部発振器高周波除去フィルタとして構成された、入力マッチング回路をさらに備える、請求項１の装置。
【請求項１２】
前記共用された入力ノードに結合され、線形性要件が緩和されたとき、前記少なくとも１つのシングルエンド増幅器を選択するように構成された、スイッチをさらに備える、請求項１の装置。
【請求項１３】
無線周波数信号を増幅するように構成された、少なくとも１つの差動増幅器と、
前記少なくとも１つの差動増幅器からの前記無線周波数信号を、局部発振器信号と混合するように構成された、ミキサと、
前記ミキサに結合されたローパスフィルタと、前記ローパスフィルタは、前記ローパスフィルタを調節するように構成された少なくともコンデンサを含み、
第１のＳＡＷ経路および第２のＳＡＷ経路と、
第１の共用された入力ノードおよび第２の共用された入力ノードと、前記第１の共用された入力ノードは、前記第１のＳＡＷ経路または前記少なくとも１つの差動増幅器の内の１つに結合され、前記第２の共用された入力ノードは、前記第２のＳＡＷ経路または前記少なくとも１つの差動増幅器の内の１つに結合され、を備える、装置。
【請求項１４】
前記第１のＳＡＷ経路は、少なくとも１つの低帯域増幅器として構成された、少なくとも１つのシングルエンド増幅器を備える、請求項１３の装置。
【請求項１５】
前記少なくとも１つの低帯域増幅器は、低利得、低帯域増幅器、および高利得、低帯域増幅器を備える、請求項１４の装置。
【請求項１６】
前記第１の共用された入力ノード、および前記低利得、低帯域増幅器間に配置されたスイッチ、をさらに備える、請求項１５の装置。
【請求項１７】
前記第２のＳＡＷ経路は、少なくとも１つの中間帯域増幅器として構成された、少なくとも１つのシングルエンド増幅器を備える、請求項１３の装置。
【請求項１８】
ジャマー状態を検出するように構成された検出器をさらに備え、前記少なくとも１つの差動増幅器は、高ジャマー状態下で動作するように構成された、少なくとも１つのＳＡＷレス増幅器を含む、請求項１３の装置。
【請求項１９】
前記ジャマー状態に基づいて、前記少なくとも１つのＳＡＷレス増幅器の電流消費を制御するように構成された、コントローラ、をさらに備える、請求項１８の装置。
【請求項２０】
無線周波数差動入力信号を増幅する手段と、
前記増幅された無線周波数差動入力信号を、局部発振器信号と混合する手段と、
前記混合する手段に結合された、ローパスフィルタする手段と、ここにおいて、前記ローパスフィルタする手段は、前記ローパスフィルタする手段を調節する手段を含み、ここにおいて、前記調節する手段は、キャパシタンスを提供する手段を含み、
表面弾性波（ＳＡＷ）モードで動作する、シングルエンド増幅手段と、
前記増幅する手段および前記シングルエンド増幅手段に、共用された入力を提供する、共用された入力手段と、
を備える、装置。
【請求項２１】
前記調整する手段に含まれる抵抗を変更する手段と、
前記抵抗を変更する手段をバイパスする手段、をさらに備える、請求項２０の装置。
【手続補正２】
【補正対象書類名】明細書
【補正対象項目名】００３５
【補正方法】変更
【補正の内容】
【００３５】
[0043]開示された実施形態の上記説明は、当業者が本発明を製造または使用出来るように提供されている。これらの実施形態への様々な修正は、当業者には容易に明らかであるだろうし、本明細書に説明された一般的な原理は、本発明の精神または範囲から逸脱することなく他の実施形態に適用されることが出来る。かように、本明細書に提示された説明および図面は、本発明の現在好ましい実施形態を表し、それゆえ、本発明により広く熟慮される主題を代表するものであることは理解されるべきである。さらに、本発明の範囲は、当業者に自明になり得る他の実施形態を完全に包含すること、および、したがって、本発明の範囲は添付の特許請求の範囲以外の何れによっても限定されないことは理解されるべきである。
以下に、本出願時の特許請求の範囲に記載された発明を付記する。
［付記１］  無線周波数信号を増幅するように構成された、少なくとも１つの差動増幅器と、
前記少なくとも１つの差動増幅器からの前記無線周波数信号を、局部発振器信号と混合するように構成されたミキサと、
前記ミキサに結合されたローパスフィルタと、前記ローパスフィルタは、コンデンサ、および前記ローパスフィルタを調節するように構成された少なくとも１つの可変抵抗器を含み、
を備える装置。
［付記２］  前記少なくとも１つの可変抵抗器をバイパスするように構成された、少なくとも１つのスイッチをさらに備える、付記１の装置。
［付記３］  前記少なくとも１つの差動増幅器は、ＳＡＷレスモードで動作するように構成された、付記１の装置。
［付記４］  前記少なくとも１つの差動増幅器は、低線形性モード増幅器および高線形性モード増幅器を備える、付記１の装置。
［付記５］  前記低線形性モード増幅器または前記高線形性モード増幅器の内の１つを選択するように構成された、セレクタと、
前記少なくとも１つの可変抵抗器に結合され、前記低線形性増幅器が選択されたとき、活性化するように構成された、少なくとも１つのスイッチと、
をさらに備える、付記４の装置。
［付記６］  ジャマー状態を検出するように構成された、検出器をさらに備え、
前記ミキサおよび前記ローパスフィルタは、前記低線形性モード増幅器および前記高線形性モード増幅器に結合され、前記ミキサおよび前記ローパスフィルタは、前記検出器によって検出された前記ジャマー状態に基づいて調整可能である極周波数を含むように構成された、付記４の装置。
［付記７］  少なくとも１つのシングルエンド増幅器と、
前記少なくとも１つの差動増幅器および前記少なくとも１つのシングルエンド増幅器、に結合された共用された入力ノードと、
をさらに備える、付記１の装置。
［付記８］  前記少なくとも１つのシングルエンド増幅器は、ＳＡＷモードで動作するように構成された、付記７の装置。
［付記９］  前記少なくとも１つのシングルエンド増幅器は、低利得ＳＡＷモード増幅器および高利得ＳＡＷモード増幅器を備える、付記７の装置。
［付記１０］  前記低利得ＳＡＷモード増幅器は、低利得ＳＡＷレスモードのために使用されるように構成された、付記９の装置。
［付記１１］  前記共用された入力ノードに結合された、第１および第２のスイッチをさらに備え、前記第１のスイッチは、前記少なくとも１つの差動増幅器にも結合され、また、前記第２のスイッチは、前記少なくとも１つのシングルエンド増幅器にも結合される、付記７の装置。
［付記１２］  前記少なくとも１つの差動増幅器および前記第１のスイッチ間で結合された、オンチップバランをさらに備える、付記１１の装置。
［付記１３］  前記共用された入力ノードに結合され、局部発振器高周波除去フィルタとして構成された、入力マッチング回路をさらに備える、付記７の装置。
［付記１４］  前記共用された入力ノードに結合され、線形性要件が緩和されたとき、前記少なくとも１つのシングルエンド増幅器を選択するように構成された、スイッチをさらに備える、付記７の装置。
［付記１５］  第１のＳＡＷ経路および第２のＳＡＷ経路と、
第１の共用された入力ノードおよび第２の共用された入力ノードと、前記第１の共用された入力ノードは、前記第１のＳＡＷ経路または前記少なくとも１つの差動増幅器の内の１つに結合され、前記第２の共用された入力ノードは、前記第２のＳＡＷ経路または前記少なくとも１つの差動増幅器の内の１つに結合され、をさらに備える、付記１の装置。
［付記１６］  前記第１のＳＡＷ経路は、少なくとも１つの低帯域増幅器として構成された、少なくとも１つのシングルエンド増幅器を備える、付記１５の装置。
［付記１７］  前記少なくとも１つの低帯域増幅器は、低利得、低帯域増幅器、および高利得、低帯域増幅器を備える、付記１６の装置。
［付記１８］  前記第１の共用された入力ノード、および前記低利得、低帯域増幅器間に配置されたスイッチ、をさらに備える、付記１７の装置。
［付記１９］  前記第２のＳＡＷ経路は、少なくとも１つの中間帯域増幅器として構成された、少なくとも１つのシングルエンド増幅器を備える、付記１５の装置。
［付記２０］  ジャマー状態を検出するように構成された検出器をさらに備え、前記少なくとも１つの差動増幅器は、高ジャマー状態下で動作するように構成された、少なくとも１つのＳＡＷレス増幅器を含む、付記１の装置。
［付記２１］  前記ジャマー状態に基づいて、前記少なくとも１つのＳＡＷレス増幅器の電流消費を制御するように構成された、コントローラ、をさらに備える、付記２０の装置。
［付記２２］  差動入力信号を増幅する手段と、
前記増幅する手段からの無線周波数信号を、局部発振器信号と混合する手段と、
前記混合する手段に結合された、ローパスフィルタする手段と、前記ローパスフィルタする手段は、前記ローパスフィルタする手段を調節する手段を含み、前記調節する手段は、抵抗を変更する手段を含み、
を備える、装置。
［付記２３］  前記抵抗を変更する手段をバイパスする手段、をさらに備える、付記２２の装置。
【国際調査報告】
2017539151.tif 000010
2017539151.tif 000011